(57)【特許請求の範囲】
【請求項１】
種類の異なる情報記録媒体を多数格納する格納手段と、
情報記録媒体の記録、再生を行う複数種の記録再生手段と、
前記格納手段と前記記録再生手段との間で、前記情報記録媒体を搬送する搬送手段と、
前記記録再生手段が読み取り可能な情報記録媒体の種類の数を記憶する記憶手段とを有し、
前記搬送手段による前記記録再生手段への搬送は、前記記憶手段が記憶する前記種類の数に基づいて、読み取り可能な種類の数が多い記録再生手段に優先的に前記情報記録媒体を搬送することを特徴とする情報記録媒体の記録再生装置。
【請求項２】
請求項１に記載の情報記録媒体の記録再生装置であって、
優先的に前記情報記録媒体を搬送した記録再生装置が、該情報記録媒体を読み取ることができない場合に、この情報記録媒体を、前記記憶手段が記憶する前記種類の数に基づいて、該記録再生装置が読み取ることができない種類を読み取ることができる他の記録再生装置に搬送することを特徴とする情報記録媒体の記録再生装置。
【請求項３】
種類の異なる情報記録媒体を多数格納する格納手段と、記録媒体の記録、再生を行う記録再生手段と、前記格納手段と前記記録再生手段との間で前記情報記録媒体を搬送する搬送手段と、前記記録再生手段が読み取り可能な情報記録媒体の種類の数を記憶する記憶手段とを有する情報記録媒体の記録再生装置を制御するプログラムを記録したコンピュータ読み取り可能な記録媒体であって、
前記記録再生手段が読み取り可能な情報記録媒体の種類の数を取得し、これを前記記憶手段により記憶するステップと、
前記搬送手段によって、前記記憶手段に記憶された前記種類の数に基づいて、読み取り可能な種類の数が多い記録再生手段に優先的に前記情報記録媒体を搬送させるステップと
を含むことを特徴とする記録再生装置を制御するプログラムを記録したコンピュータ読み取り可能な記録媒体。
【請求項４】
請求項３に記載の記録再生装置を制御するプログラムを記録したコンピュータ読み取り可能な記録媒体において、優先的に前記情報記録媒体を搬送した前記記録再生装置が該情報記録媒体を読み取ることができない場合に、
この情報記録媒体を、前記記憶手段が記憶する前記種類の数に基づいて、該記録再生装置が読み取ることができない種類を読み取ることができる他の記録再生装置に搬送するステップを有することを特徴とする記録再生装置を制御するプログラムを記録したコンピュータ読み取り可能な記録媒体。
【発明の詳細な説明】
【０００１】
【発明の属する技術分野】
本発明は、例えばＣＤ、ＤＶＤ、ＣＤ−Ｒ、ＣＤ−ＲＷなど種類の異なる情報記録媒体を多数格納するとともに、これら情報記録媒体の記録再生を行う情報記録媒体の記録再生装置及び記録再生装置を制御するプログラムを記録したコンピュータ読み取り可能な記録媒体に関するものである。
【０００２】
【従来の技術】
従来、ＣＤ−ＲＯＭに代表される光ディスクの記録再生を行う装置として、ライブラリ装置がある。図６は、かかる従来のライブラリ装置の構成を示すものである。
【０００３】
同図において、ライブラリ装置５０は、一般に、ＣＤ−ＲＯＭやＤＶＤ等の種類の異なる光ディスク５２を多数格納するラック５１と、光ディスクの種類に応じてこれの記録、再生を行うドライブ５３と、光ディスクをラック５１に格納する際に光ディスクが挿入されるメールスロット５４と、これらラック５１、ドライブ５３、メールスロット５４間において光ディスクを搬送するキャリア５５とからなるものである。
【０００４】
このようなライブラリ装置５０によって光ディスク５２の記録再生を行う場合は、先ず、ユーザーの選択に基づいて、キャリア５５がラック５１から光ディスクをドライブ５３に搬送・挿入して、次いで、このドライブ５３において光ディスクの種類の判別を逐次行ったうえで、記録再生を開始する。図７は、従来の光ディスクを判別する手順を示すフローチャートである。
【０００５】
同図において、光ディスクの判別が開始されると（Ｓ７０１）、標準装備であるＣＤ−ＲＯＭドライブが存在するか否かを判断し（Ｓ７０２）、あるときはこのＣＤ−ＲＯＭドライブにディスクを挿入し（Ｓ７０３）、これを読み取り可能かを判断し（Ｓ７０４）、可能であればＣＤ−ＲＯＭ又は記録済みのＣＤ−Ｒディスクに設定し（Ｓ７０５）、ディスクの判別を終了する（Ｓ７１３）。
【０００６】
一方、Ｓ７０２でＣＤ−ＲＯＭドライブ無しと判断したとき、又はＳ７０４で読み取り不可能と判断したときは、ＣＤ−Ｒドライブが存在するか否かを判断し（Ｓ７０６）、あると判断した場合は、このＣＤ−Ｒドライブにディスクを挿入し（Ｓ７０７）、読み取りが可能か否かを判断し（Ｓ７０８）、可能であると判断したときはＣＤ−ＲＯＭ又はＣＤ−Ｒディスクと設定し（Ｓ７０９）、ディスクの判別を終了する（Ｓ７１３）。
【０００７】
また、Ｓ７０８で、読み取りが不可能であると判断したときは未記録なＣＤ−Ｒディスクか否かを判定し（Ｓ７１０）、未記録なＣＤ−Ｒディスクと判定したときはそのように設定し（Ｓ７１１）、ディスクの判別を終了する（Ｓ７１３）。
【０００８】
さらに、Ｓ７０６でＣＤ−Ｒドライブが存在しないと判断したとき、又はＳ７１０で未記録ＣＤ−Ｒディスクではないと判定したときは、使用不可能なディスクと設定し（Ｓ７１２）、ディスクの判別を終了する（Ｓ７１３）。
【０００９】
ところで、近年にあっては光ディスク等の光学的メディアの多様化が進み、かかるライブラリ装置においても、新たな種類のメディアに対応させる必要が生じた。すなわち、従来、メディアはＣＤ−ＲＯＭ、ＣＤ−Ｒ又はＣＤ−ＲＷディスクが主流であったが、近年にあっては、ＤＶＤ−ＲＯＭ等の記録フォーマットの異なる新しいメディアが登場するに至った。
【００１０】
従って、近年では、ＣＤとＤＶＤの両方を記録再生するマルチリード形式のドライブ装置が開発され、ライブラリ装置にもこのようなドライブ装置が備えられるようになった。すなわち、図６に示すように、ライブラリ装置５０は、新たなドライブ装置を追加するための予備スロットを備えており、新たなメディアに対応したドライブ装置、例えばＣＤ−Ｒ用ドライブ５６や、ＤＶＤ−Ｒ用ドライブ５７などを追加することができる。
【００１１】
【発明が解決しようとする課題】
しかしながら、新たな種類のメディアは、従来のドライブ装置では読み取りが不可能であるが、キャリア５５の制御は従来と同様に行われているため、キャリア５５は、光ディスクの新旧の種類に関わらず、前述した手順通りに従来のドライブ装置に搬送してしまうという問題が生じた。
【００１２】
例えば搬送しているメディアがＤＶＤ−ＲＯＭであっても、キャリア５５は、従来通り、ＤＶＤ−ＲＯＭを読み取ることができない従来のＣＤ−ＲＯＭ用ドライブ５３に搬送し、ＣＤ−ＲＯＭ用ドライブ５３による判別動作を行い、このＣＤ−ＲＯＭ用ドライブ５３では読み取ることができないと判別すると、キャリア５５は、次のドライブ装置、例えばＣＤ−ＲＯＭ用ドライブ５３の直上にあるＣＤ−Ｒ用ドライブ５６に搬送する。さらに、このＣＤ−Ｒ用ドライブによっても読みとれない場合には同様の動作を順次行って、最終的にマルチリード形式のドライブ装置であるＤＶＤ−Ｒ用ドライブ５７に到達し、記録再生動作の準備が終了する。
【００１３】
この結果、上述した従来のライブラリ装置５０では、記録再生を行う光ディスクを選択してから、記録再生が開始されるまでに長時間を要するという問題が生じた。
【００１４】
そこで本発明は、係る課題を解決すべくなされたものであり、種類の異なる光ディスク等の情報記録媒体が混在するライブラリ装置における情報記録媒体の記録再生を迅速に行うことのできる情報記録媒体の記録再生装置を提供するものである。
【００１５】
【課題を解決するための手段】
本発明は前述した課題を解決すべくなされたものであり、請求項１に係る情報記録媒体の記録再生装置は、種類の異なる情報記録媒体を多数格納する格納手段と、情報記録媒体の記録、再生を行う複数種の記録再生手段と、前記格納手段と前記記録再生手段との間で、前記情報記録媒体を搬送する搬送手段と、前記記録再生手段が読み取り可能な情報記録媒体の種類の数を記憶する記憶手段とを有し、前記搬送手段による前記記録再生手段への搬送は、前記記憶手段が記憶する前記種類の数に基づいて、読み取り可能な種類の数が多い記録再生手段に優先的に前記情報記録媒体を搬送するものである。
【００１６】
このような請求項１に係る発明によれば、記憶手段が記憶する情報に基づいて、読み取り可能な種類の数が多い記録再生手段に優先的に情報記録媒体を搬送するため、種類が未確認の情報記録媒体を記録再生手段に挿入しても、読み取れる確立を向上することができ、情報記録媒体の選択から記録再生までの時間を短縮することができる。
【００１７】
請求項２に係る発明は、請求項１に記載の情報記録媒体の記録再生装置であって、優先的に前記情報記録媒体を搬送した記録再生装置が、該情報記録媒体を読み取ることができない場合に、この情報記録媒体を、前記記憶手段が記憶する前記種類に基づいて、該記録再生装置が読み取ることができない種類を読み取ることができる他の記録再生装置に搬送するものである。
【００１８】
このような請求項２に係る発明によれば、優先的に情報記録媒体を搬送した先の記録再生手段が当該情報記録媒体を読めない場合であっても、他の記録再生手段を適切に選択することができ、記録再生の準備時間を短縮することができる。
【００１９】
請求項３に係る発明は、種類の異なる情報記録媒体を多数格納する格納手段と、記録媒体の記録、再生を行う複数種の記録再生手段と、前記格納手段と前記記録再生手段との間で前記情報記録媒体を搬送する搬送手段と、前記記録再生手段が読み取り可能な情報記録媒体の種類の数を記憶する記憶手段とを有する情報記録媒体の記録再生装置を制御するプログラムを記録したコンピュータ読み取り可能な記録媒体であって、前記記録再生手段が読み取り可能な情報記録媒体の種類の数を取得しこれを前記記憶手段により記憶するステップと、前記搬送手段によって、前記記憶手段が記憶する前記種類の数に基づいて、読み取り可能な種類の数が多い記録再生手段に優先的に前記情報記録媒体を搬送させるステップとを含むものである。
【００２０】
請求項４に係る発明は、請求項３に記載の記録再生装置を制御するプログラムを記録したコンピュータ読み取り可能な記録媒体において、優先的に前記情報記録媒体を搬送した前記記録再生装置が、該情報記録媒体を読み取ることができない場合に、この情報記録媒体を、前記記憶手段が記憶する前記種類の数に基づいて、該記録再生装置が読み取ることができない種類を読み取ることができる他の記録再生装置に搬送するステップを有するものである。
【００２１】
このような請求項３又は４に係る発明によれば、迅速に情報記録媒体の記録再生を開始することができるという有用なプログラムの保存、実行、運搬等を容易に行うことができ、情報記録媒体の記録再生装置の制御をより簡便なものとすることができる。
【００２２】
【発明の実施の形態】
本発明の実施形態について説明する。図１は、本実施形態に係るライブラリ装置１００の全体構成を示すものである。同図において、ライブラリ装置１００は、種類の異なる光ディスク１１を多数格納するラック１２と、光ディスク１１の記録、再生を行う複数種のドライブ１〜６を収納するスロット１３と、光ディスク１１を搬送するキャリア８と、これらの手段を集中的に制御するＰＣ９とを有するものである。
【００２３】
なお、本実施形態においてライブラリ装置１００は、光ディスクを新たにラック１２内に追加する際に光ディスクが挿入されるメールスロット７を備えている。
【００２４】
上記光ディスク１１は、同一外径の例えばＣＤ、ＤＶＤ、ＣＤ−Ｒ、ＣＤ−ＲＷなど厚さ、記録方法、記録フォーマット、判別用信号の波形等が異なる種々のものであり、ラック１２には、これら種類の異なる光ディスクが混在して格納される。
【００２５】
ラック１２は、本実施形態では、ライブラリ装置１００の本体１０内に１対として設けられる２つの棚状の函体であり、この内部には光ディスク１１を１００枚〜６００枚程度保持する保持手段（図示せず）が多数設けられている。特に、これらの保持手段には、各々の位置を示すアドレス番号が付されている。
【００２６】
ドライブ１、２は、本実施形態では、いずれもＣＤ−ＲＯＭ用のドライブ装置で、通常ライブラリ装置１００に標準的に備えられるものである。なお、このドライブ１、２は、ＤＶＤ−Ｒ等の新しいメディアを読み取ることはできないものである。また、ドライブ３〜６は、予備のスロットに追加されたＣＤ−Ｒ用、ＤＶＤ−ＲＯＭ用のドライブ装置である。なお、これらドライブ１〜６の内部には、挿入された光ディスク１の種類を判別する判別手段（図示せず）が備えられている。
【００２７】
キャリア８は、メールスロット７、ラック１２及びドライブ１〜６の間で光ディスク１１を搬送するものであり、ＰＣ９によって制御されるものである。すなわち、キャリア８はＰＣ９の指示により、光ディスク１１をラック１２等から受け取り、保持し、移動した後、ドライブ１〜６等に挿入する。
【００２８】
ＰＣ９は、本実施形態では、通常用いられるパーソナルコンピュータであり、本体１０に対して例えばＳＣＳＩケーブル等によって接続されており、これには記憶手段としてのハードディスク９ａが内蔵されている。なお、本発明において記憶手段は、かかるパーソナルコンピュータに備えられたハードディスク９ａに限定されるものではなく、例えば本体１０に内蔵するメモリ装置や、ディスク装置とすることもできる。
【００２９】
そして、ハードディスク９ａには、特に、ドライブ１〜６それぞれが読み取ることができる光ディスクの種類数が記憶されている。図２（ａ）に、かかる種類数を記述したマップ２０を示す。
【００３０】
なお、同図において、読み取り可能である場合に「１」、読み取り不可能である場合に「０」を表示する。また、マップ２０における「ドライブNo」の列はスロット１３に収納されているドライブ装置を特定する個々のＩＤナンバーを示すものであり、「ＲＯＭ」とは記録済みいわゆるリードオンリーのメディアを意味し、「Ｒ」とは記録前いわゆるレコーダブルのＣＤもしくはＤＶＤを意味する。
【００３１】
マップ２０に示すように、ドライブ１すなわちＣＤ−ＲＯＭ用ドライブは記録済みのＣＤのみを読み取ることができ、ドライブ３すなわちＣＤ−Ｒ用ドライブは記録済み及び記録前のＣＤを読み取ることができる。また、ドライブ６すなわちＤＶＤ−Ｒ用ドライブは記録済みのＣＤと記録済み及び記録前のＤＶＤを読み取ることができるが、記録前のＣＤを読み取ることはできない。
【００３２】
このようなマップ２０を作成する手順について説明する。図３は、ライブラリー装置１００に取付けられたドライブ装置の種類を識別し、かかるマップ２０を作成する手順を示すものである。
【００３３】
同図において、ドライブの識別が開始されると（Ｓ３０１）、ドライブ装置のＩＤが取得され、ＩＤ＝０から順次識別が行われる（Ｓ３０２）。ＩＤが取得されるとそのドライブ装置のバージョン情報などを含む係数”inquiry”が登録されているか否かを判断し（Ｓ３０４）、登録済みであればＲドライブに設定する。
【００３４】
”inquiry”が登録されていないと判断されたときは、”inquiry”の値が05hに等しいか否かを判断し（Ｓ３０５）、等しいと判断したときはＲＯＭドライブに設定し（Ｓ３０６）、等しくないと判断したときは、”inquiry”の値が07hに等しいか否かを判断する。
【００３５】
”inquiry”の値が07hに等しいと判断したときは、Ｒ／ＷまたはＲＡＭドライブに設定し（Ｓ３０８）、等しくないと判断したときは、不明なドライブに設定する（Ｓ３０９）。
【００３６】
各種のドライブの設定が終了した後（Ｓ３０４，Ｓ３０６，Ｓ３０８，Ｓ３０９）、読み取り可能なディスクの種類を取得し（Ｓ３１０）、それを記憶する（Ｓ３１１）。次いで、読み取り可能なディスクが最多のドライブとしてＩＤを記憶し（Ｓ３１２）、このドライブが読み取り可能なディスクの種類をパラメータ”Ｄ１”に代入する（Ｓ３１３）とともに、読み取り可能なディスクの種類のＯＲをパラメータ”ＤＴ１”に代入し（Ｓ３１４）、各ディスクに対する読み取り可能なディスクとドライブＩＤマップを作成する（Ｓ３１５）。
【００３７】
その後、記録可能なディスクの種類を取得し（Ｓ３１６）、記録可能なディスクが最多のドライブとしてＩＤを記憶し（Ｓ３１７）、このドライブが記録可能なディスクの種類をパラメータ”Ｄ２”に代入する（Ｓ３１８）とともに、記録可能なディスクの種類のＯＲをパラメータ”ＤＴ２”に代入し（Ｓ３１９）、各ディスクに対する記録可能なディスクとドライブＩＤマップを作成する（Ｓ３２０）。
【００３８】
読み取り・記録可能なディスクとドライブＩＤマップの作成が終了した後、ＩＤが上限値より大きいか否かを判断し（Ｓ３２１）、大きい場合は、ドライブの識別を終了し（Ｓ３２２）、小さい場合は、ＩＤの値に１を加算し、次のドライブＩＤの識別を行う（Ｓ３２３）。
【００３９】
そして、キャリア８の制御は、このマップ２０に記述された光ディスクの情報に基づいて行われる。すなわち、キャリア８は、ユーザーによって選択された光ディスクを搬送する際、マップ２０に記述された各ドライブが読み取り可能な光ディスクの種類数に基づいて、適切なドライブ装置に搬送、挿入する。
【００４０】
なお、本実施形態にあっては、このハードディスク９ａには、ラック２に格納されている多数の光ディスクそれぞれの位置、種類や内容等の種類情報がテーブル３０として記憶されている。図２（ｂ）に係る種類情報を記述したテーブル３０の例を示す。具体的には、本実施形態においてテーブル３０には、ラック２に備えられた保持手段に付されたアドレス番号に対応した各保持手段に保持されている光ディスクの種類の他、各光ディスクの内容も記述されている。
【００４１】
このような構成の本実施形態に係るライブラリ装置１００において、テーブル３０へ光ディスクの位置や種類等の種類情報を登録するには、以下の手順を行う。図４は、かかる光ディスク登録を行う手順を示すフローチャートである。なお、本実施形態において、光ディスクの登録は、新規な光ディスクをライブラリ装置１００に追加する際に行われる。
【００４２】
先ず、メールスロット７に新たな光ディスクを挿入することによってディスクの登録が開始される（Ｓ４０１）。このとき、マップ２０に基づいてドライブ１〜６のうち、リード可能なディスクの種類が最多であるドライブのＩＤが指定され、光ディスクはキャリア８によって指定されたドライブ装置に挿入される。本実施形態では、図２（ａ）に示すマップ２０によればドライブ６が最もリード可能なディスクの種類が多いので、このドライブ６に優先的に挿入される。
【００４３】
このドライブ６において当該光ディスクの読み取りが可能であるか否かが判断される（Ｓ４０３）。読み取り可能であると判断されたときは、ドライブ６に備えられた判別手段により光ディスクの種類が判別されるとともに、光ディスクに記録された内容（ボリューム名等の管理番号など）が読み出される。そして、これら光ディスクの種類や内容に関する情報は、ＰＣ９によりテーブル３０に記憶される（Ｓ４０４）。
【００４４】
Ｓ４０３において、当該ディスクの読み取りが不可能であると判断された場合は、他に読み取り可能なドライブが存在するか否かを判断する。具体的には、マップ２０に表示された「１」又は「０」についてＯＲ演算を行い、この演算結果を、上位（もしくは下位）のビットから順に比較して「１」が立っている部分を検出することにより、現在のドライブが読み取り不可能な種類を読みとれるドライブを検索する。
【００４５】
すなわち、読み取り可能なディスクの種類を表すパラメータ”Ｄ１”と、読み取り可能なディスクの種類のＯＲを表すパラメータ”ＤＴ”とを比較し（Ｓ４０６）、これらが等しくないときは、（ＤＴ-Ｄ１）の最下位ビットをＢＯとし（Ｓ４０７）、ＢＯが１であるか否かを判断し（Ｓ４０８）、ドライブＩＤマップから他のドライブＩＤを指定する（Ｓ４０９）。
【００４６】
そして、この指定されたドライブに光ディスクを搬送し、このドライブにおいて当該光ディスクを読み取ることができるかを判断する（Ｓ４１０）。ここで読み取ることができる場合はディスクの種類等の情報を取得し記憶し（Ｓ４０４）、ディスクの登録を終了する（Ｓ４０５）。
【００４７】
Ｓ４１０において読み取りが不可能である場合、又はＳ４０８においてＢＯの値が１でない場合は、次ビットがあるか否かを判断し（Ｓ４１１）、次のビットがある時は、これの値をＢＯに代入し（Ｓ４１２）、Ｓ４０８における判断を再度行う。
【００４８】
Ｓ４０６においてＤ１の値とＤＴの値が等しいと判断した場合、又はＳ４１１において次ビットがないと判断した場合は、当該光ディスクを使用不可能なディスクに設定し（Ｓ４１３）、ディスクの登録を終了する（Ｓ４１４）。
【００４９】
その後、キャリア８は、光ディスクをドライブ１〜６のいずれかから取り出し、ラック２内の空いている保持手段へ搬送し、所定の保持手段に受け渡し、ラック２内に格納する。このとき、光ディスクを受け取った保持手段に付されたアドレス番号は、ＰＣ９に伝送され、テーブル３０に登録される。
【００５０】
このようにして作成されたテーブル３０は、ハードディスク９ａに保存することによって記憶される。
【００５１】
このような本実施形態に係るライブラリ装置によれば、キャリア８の制御を、各ドライブが読み取り可能な光ディスクの種類数を記述したマップ２０に基づいて行うため、光ディスク１１を適切なドライブ１〜６に搬送することによって、ユーザーによる光ディスク１１の選択から記録再生までの時間を短縮することができる。
【００５２】
また、読み取り可能な種類の数が多いドライブに優先的に光ディスクを搬送するため、種類が未確認の光ディスクをドライブに挿入しても、読み取れる確立を向上することができ、迅速な記録再生準備をすることができる。
【００５３】
なお、上記ライブラリ装置１００の制御は、上述した手順をコンピュータプログラム言語によってソフトウェア化し、これを例えばＰＣ９で実行することにより実現することができる。
【００５４】
そして、このようなソフトウェアはコンピュータ読み取り可能な記録媒体に保存することができる。ここで、記録媒体とは、図５に示すような、ＲＯＭ４１等のメモリ装置、フロッピーディスク４２、カセットテープ４３等の磁気ディスク装置、ＣＤ−ＲＯＭ４４等の光ディスク装置の他、プログラムを記録することができるような装置が含まれる。
【００５５】
このようなプログラムを記録したコンピュータ読み取り可能な記録媒体によれば、迅速に光ディスクの記録再生を開始することができるという有用なプログラムの保存、実行、運搬等を容易に行うことができ、ライブラリ装置１００の制御をより簡便なものとすることができる。
【００５６】
【発明の効果】
以上説明したように本発明の情報記録媒体の記録再生装置及び記録再生装置の制御プログラムを記録したコンピュータ読み取り可能な記録媒体によれば、種類の異なる光ディスク等の情報記録媒体が混在するライブラリ装置における情報記録媒体の判別を行う頻度を低減させて、情報記録媒体の記録再生を迅速に行うことができる。
【図面の簡単な説明】
【図１】実施形態に係るライブラリ装置の全体構成を示す図である。
【図２】（ａ）は実施形態で用いられるマップを示す表であり、（ｂ）はディスクの位置や種類を登録するテーブルを示す表である。
【図３】実施形態に係るライブラリ装置に装着されたドライブ装置を識別する手順のフローチャートを示すものである。
【図４】実施形態に係るライブラリ装置に格納されるディスクの種類を登録する手順のフローチャートを示すものである。
【図５】実施形態に係るライブラリ装置の制御プログラムを記録したコンピュータ読み取り可能な記録媒体を示す図である。
【図６】従来のライブラリ装置の全体構成を示す図である。
【図７】従来のライブラリ装置におけるディスクを判別する手順のフローチャートを示すものである。
【符号の説明】
１〜６  ドライブ（記録再生手段）
７  メールスロット
８  キャリア
９  ＰＣ
９ａ  ハードディスク（記憶手段）
１１  光ディスク
１２  ラック（格納手段）
１３  スロット
１００  ライブラリ装置
【図１】
0003780709.tif 000002
【図２】
0003780709.tif 000003
【図３】
0003780709.tif 000004
【図４】
0003780709.tif 000005
【図５】
0003780709.tif 000006
【図６】
0003780709.tif 000007
【図７】
0003780709.tif 000008